(57)【特許請求の範囲】
【請求項１】
隔壁により囲まれた内部空間を形成すると共に、当該隔壁が省略された開放部を有する筐体と、
矩形状の媒体の長辺よりも短いテープ幅でなるテープが巻き付けられたリールと、
上記開放部を挟んで上記リールの反対側に設けられ、上記リールから引き出され上記開放部を横切った上記テープを折り返す折り返し部と、
円筒状でなり上記筐体に対し上記内部空間内で回転可能に設けられると共に、上記筐体の外部から短辺方向に沿って供給される上記媒体を、上記折り返し部により折り返された上記テープと重ねて巻き付けるドラムと、
上記リール及び上記折り返し部の間を渡る上記テープよりも上記ドラム側に設けられ、上記内部空間と外部との間を閉塞すると共に上記テープ及び上記媒体を上記ドラムの周側面に押し付ける巻付ガイドと、
上記巻付ガイドのうち、上記内部空間と外部との間を開放した時に上記リール及び上記折り返し部の間を渡る上記テープと干渉しない箇所に設けられ、上記内部空間と外部との間を閉塞し又は開放する開閉部と
を具えることを特徴とする媒体処理装置。
【請求項２】
上記巻付ガイドは、
上記ドラムと対向する面の一部により当該ドラムと当接し、
上記開閉部は、
上記巻付ガイドのうち上記ドラムと当接しない箇所に設けられた
ことを特徴とする請求項１に記載の媒体処理装置。
【請求項３】
上記開閉部は、
所定方向に関する辺の長さが上記巻付ガイドよりも短い
ことを特徴とする請求項１に記載の媒体処理装置。
【請求項４】
上記内部空間と外部との間を閉塞する閉塞位置へ上記開閉部を付勢する付勢部
をさらに具えることを特徴とする請求項１に記載の媒体処理装置。
【請求項５】
上記開閉部は、
上記巻付ガイドに対し上記ドラムの回転軸とほぼ平行な開閉部回動軸を中心に回動する
ことを特徴とする請求項１に記載の媒体処理装置。
【請求項６】
上記巻付ガイドは、
上記媒体が外部から供給される供給口の近傍に、上記ドラムの回転軸とほぼ平行な巻付ガイド回動軸を有し、
上記開閉部は、
上記巻付ガイド回動軸側に上記開閉部回動軸が設けられた
ことを特徴とする請求項５に記載の媒体処理装置。
【発明の詳細な説明】
【技術分野】
【０００１】
本発明は、媒体処理装置に関し、例えば現金等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する金種カセットとを有するものが提案されている（例えば、特許文献１参照）。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣を鑑別部により金種を再鑑別し、鑑別された金種に応じて各金種カセットへ収納する。
【０００５】
例えば図１０に示すように、従来の一時保留部１００は、上側テープ３３及び下側テープ３６の間に紙幣ＢＬを短辺方向に沿って整列させるよう挟持し、可動ガイド１０１により紙幣ＢＬの折れ曲がり等を防ぎながら円筒形状のドラム３１に順次巻き付けることにより、多数の紙幣ＢＬを収納するようになされている。
【０００６】
また一時保留部１００は、上側テープ３３及び下側テープ３６を図示しないリールにそれぞれ巻き取りながら、ドラム３１を収納時とは反対方向に回転させることにより、収納している紙幣ＢＬを放出するようにもなされている。
【先行技術文献】
【特許文献】
【０００７】
【特許文献１】特開２０１１−２９２１号公報（第１図）
【発明の概要】
【発明が解決しようとする課題】
【０００８】
ところで一時保留部１００では、紙幣ＢＬの状態等により、ドラム３１に巻き付ける際に紙幣ＢＬの一部が破損する場合がある。破損した紙幣ＢＬの破片（以下これを半券ＢＸと呼ぶ）は、一時保留部筐体３０とドラム３１との隙間等に蓄積されることになる。
【０００９】
このため一時保留部１００は、作業者による保守等の際に、内部に蓄積された半券ＢＸを除去する除去作業が行われる。この除去作業においては、可動ガイド１０１を外方（すなわち図の上方）へ開くことができれば、作業者が一時保留部１００内の内部を容易に視認でき、また半券ＢＸを容易に取り出すことができる。
【００１０】
しかしながら一時保留部１００では、その構造上、上側テープ３３が可動ガイド１０１の上方を走行するため、可動軸４５を回動中心とする可動ガイド１０１を上側テープ３３と当接する位置（図中破線１０１Ｘで示す）までしか開くことができない。
【００１１】
このため一時保留部１００は、除去作業において作業者が一時保留部筐体３０と可動ガイド１０１との僅かな隙間から内部を覗き込み半券ＢＸを視認して取り出さなければならず、作業性が悪いという問題があった。
【００１２】
本発明は以上の点を考慮してなされたもので、作業性を格段に高め得る媒体処理装置を提案しようとするものである。
【課題を解決するための手段】
【００１３】
かかる課題を解決するため本発明の媒体処理装置においては、隔壁により囲まれた内部空間を形成すると共に、当該隔壁が省略された開放部を有する筐体と、矩形状の媒体の長辺よりも短いテープ幅でなるテープが巻き付けられたリールと、開放部を挟んでリールの反対側に設けられ、リールから引き出され開放部を横切ったテープを折り返す折り返し部と、円筒状でなり筐体に対し内部空間内で回転可能に設けられると共に、筐体の外部から短辺方向に沿って供給される媒体を、折り返し部により折り返されたテープと重ねて巻き付けるドラムと、リール及び折り返し部の間を渡るテープよりもドラム側に設けられ、内部空間と外部との間を閉塞すると共にテープ及び媒体をドラムの周側面に押し付ける巻付ガイドと、巻付ガイドのうち、内部空間と外部との間を開放した時にリール及び折り返し部の間を渡るテープと干渉しない箇所に設けられ、内部空間と外部との間を閉塞し又は開放する開閉部とを設けるようにした。
【００１４】
これにより本発明は、巻付ガイドの開閉板を閉塞したときには当該巻付ガイドにより媒体をドラムに押し付けながら適切に巻き付けることができる一方、巻付ガイドの開閉板を開放したときには筐体内に指先や工具等を容易に挿入することができる。
【発明の効果】
【００１５】
本発明によれば、巻付ガイドの開閉板を閉塞したときには当該巻付ガイドにより媒体をドラムに押し付けながら適切に巻き付けることができる一方、巻付ガイドの開閉板を開放したときには筐体内に指先や工具等を容易に挿入することができる。かくして本発明は、作業性を格段に高め得る媒体処理装置を実現できる。
【図面の簡単な説明】
【００１６】
【図１】現金自動預払機の外観構成を示す略線的斜視図である。
【図２】現金自動預払機の内部構成を示す略線図である。
【図３】一時保留部の外観構成を示す略線的斜視図である。
【図４】一時保留部の内部構成（１）を示す略線的斜視図である。
【図５】一時保留部の内部構成（２）を示す略線図である。
【図６】可動ガイドの構成を示す略線図である。
【図７】他の実施の形態による可動ガイドの構成（１）を示す略線図である。
【図８】他の実施の形態による可動ガイドの構成（２）を示す略線的斜視図である。
【図９】他の実施の形態による可動ガイドの構成（３）を示す略線図である。
【図１０】従来の一時保留部の内部構成を示す略線図である。
【発明を実施するための形態】
【００１７】
以下、発明を実施するための形態について、図面を用いて詳細に説明する。
【００１８】
［１．現金自動預払機の全体構成］
図１に外観を示すように、現金自動預払機１は、箱状の筐体２を中心に構成されており、顧客との間で現金に関する取引を行うようになされている。
【００１９】
筐体２は、その前面２Ａ側に顧客が対峙した状態で紙幣の投入やタッチパネルによる操作等をしやすい箇所、すなわち前面２Ａの上部から上面に渡る箇所に、接客部３が設けられている。
【００２０】
接客部３は、顧客との間で現金や通帳等を直接やり取りすると共に、取引に関する情報の通知や操作指示の受付を行うようになされており、硬貨入出金口１１、紙幣入出金口１２、通帳挿入口１３、カード挿入口１４及び表示操作部１５が設けられている。
【００２１】
硬貨入出金口１１及び紙幣入出金口１２は、顧客が入金する硬貨及び紙幣がそれぞれ投入されると共に、顧客へ出金する硬貨及び紙幣がそれぞれ排出される部分である。また硬貨入出金口１１及び紙幣入出金口１２は、それぞれに設けられたシャッタを駆動することにより開放又は閉塞するようになされている。因みに紙幣は、例えば長方形の紙で構成されており、市場で流通する過程において折り曲げられて扱われる場合もある。
【００２２】
通帳挿入口１３は、取引で使用される通帳が挿入され、取引が終了すると通帳が排出される部分である。この通帳挿入口１３の奥部には、取引内容等を通帳に記録する通帳処理部（図示せず）が設けられている。
【００２３】
カード挿入口１４は、キャッシュカード等の各種カードが挿入または排出される部分である。カード挿入口１４の奥部には、各種カードに磁気記録された口座番号等の読み取りを行うカード処理部（図示せず）が設けられている。
【００２４】
表示操作部１５は、取引に際して操作画面を表示するＬＣＤ（Liquid Crystal Display）と、取引の種類の選択、暗証番号や取引金額などを入力するタッチパネルとが一体化されている。
【００２５】
図２は、図１の現金自動預払機１を矢印Ａ方向から見た側面図であり、当該現金自動預払機１の内部構成のうち主に紙幣の処理に関する部分を示している。同図に示したように、現金自動預払機１の内部には、上側に接客部３、紙幣の金種や真偽を判定する鑑別部４及び入金紙幣を一時的に保留する一時保留部５等が設けられており、下側に金種別のカセットでなる紙幣貯蔵部６等が設けられている。図中太線で示す搬送路７は、各部の間で紙幣を短辺方向に沿って搬送する。
【００２６】
この現金自動預払機１は、制御部８により全体を統括制御するようになされている。制御部８は、例えば顧客が紙幣を入金する入金取引を行う場合、表示操作部１５を介して所定の操作入力を受け付けた後、紙幣入出金口１２のシャッタを開いて紙幣を投入させる。
【００２７】
続いて制御部８は、投入された紙幣を搬送路７を介して鑑別部４へ搬送して鑑別させ、正常紙幣と鑑別された紙幣を一時保留部５へ搬送して一時的に保留する一方、取引すべきでないと鑑別されたリジェクト紙幣を紙幣入出金口１２へ搬送して顧客に返却する。
【００２８】
その後制御部８は、表示操作部１５を介して顧客に入金金額を確定させ、一時保留部５に保留している紙幣を再び鑑別部４へ搬送して金種を再鑑別させて、鑑別された金種に応じて紙幣貯蔵部６の各カセットへ搬送し収納させるようになされている。
【００２９】
ところで筐体２は、前面２Ａ側やその反対側（すなわち背面側）等の一部の側面が開閉可能な扉により構成されている。すなわち筐体２は、顧客との間で現金に関する取引を行う取引動作時には、図１及び図２に示したように各扉を閉塞することにより、紙幣貯蔵部６等に格納している紙幣を保護する。一方筐体２は、作業者等が保守作業を行う保守作業時には、必要に応じて各扉を開放することにより、内部の各部に対する作業を容易に行わせ得る。
【００３０】
また現金自動預払機１は、この保守作業時に、背面の扉を開放した上で所定のスライド機構を介して一時保留部５を背面方向へ引き出す（図中破線で示す）と共に、その上面を背面方向へ向けるよう傾けることもできるようになされている。
【００３１】
［２．一時保留部の構成］
図３に外観を示すように、一時保留部５は、一時保留部筐体３０に各部品が取り付けられた構成となっている。
【００３２】
一時保留部筐体３０は、現金自動預払機１内に設置された際に前面２Ａ（図１）側となる前側及びその反対の後側、当該前面２Ａ側に対峙した顧客から見て左及び右となる左側及び右側、並びに下側といった外周の大部分を隔壁とすることにより、当該隔壁に囲まれた内部空間３０Ａを形成している。その一方で一時保留部筐体３０は、外周のうち上側の隔壁が省略されてなる開放部３０Ｂを介して外部から当該内部空間３０Ａへアクセスできるようになされている。
【００３３】
また一時保留部筐体３０の前側面には、内部空間３０Ａ内への紙幣ＢＬの出入り口となる紙幣入出孔３０Ｃが穿設されている。
【００３４】
因みに一時保留部筐体３０の左側及び右側の隔壁内には、図示しないモータから後述するドラムやローラ等へ駆動力を伝達するためのギヤ等が内蔵されている。また一時保留部筐体３０の左側面には、保守作業の際にドラムやローラ等を手動で回転させるための操作ノブ３０Ｄが設けられている。
【００３５】
図４は、一時保留部５のうち一時保留部筐体３０を省略し、当該一時保留部筐体３０に取り付けられた各部品を表した斜視図である。また図５は、図４の一時保留部５を左側から見た側面図である。因みに図中の一点鎖線Ｋ１は、一時保留部筐体３０の内側面の一部を表している。
【００３６】
図４及び図５に示すように、ドラム３１は、円筒状に構成されており、一時保留部筐体３０の内部空間３０Ａ（図３）内において、左右方向に沿った回転軸３１Ｘを中心に巻込方向Ｒ１又は巻戻方向Ｒ２へ回転し得るように取り付けられている。
【００３７】
上側リール３２は、糸巻き状に構成されており、ドラム３１の上側、すなわち開放部３０Ｂ（図３）側における後方寄りの箇所に、ドラム３１と平行な回転軸３２Ｘを中心に回転するように設けられている。この上側リール３２には、テープとしての上側テープ３３が巻き付けられている。
【００３８】
また上側リール３２から見てドラム３１よりも前側、すなわち紙幣入出孔３０Ｃ（図３）側には、ドラム３１と平行な回転軸３４Ｘを中心に回転する上側案内ローラ３４が設けられている。
【００３９】
上側テープ３３は、薄いフィルム状の樹脂でなり、そのテープ幅が紙幣ＢＬ（図３）の長辺よりも十分に短くなっている。また上側テープ３３は、長手方向に十分な長さを有している。
【００４０】
上側リール３２から引き出された上側テープ３３は、開放部３０Ｂ（図３）を横切るように前方向へ渡された後、上側案内ローラ３４を介して引き回されることにより後方向へ折り返される。さらに上側テープ３３は、後述する可動部４０に設けられた所定のローラによりドラム３１に押し当てられ、その先端部が当該ドラム３１に固定されている。
【００４１】
因みに一時保留部５は、上側リール３２をドラム３１よりも後方寄りの位置に設けた上で、当該上側リール３２と上側案内ローラ３４との間で上側テープ３３を走行させることにより、上側リール３２と現金自動預払機１内の他の機構等との干渉を避けると共に、上側テープ３３に所定の張力を加えるようになされている。
【００４２】
下側リール３５は、上側リール３２と同様の糸巻き状に構成されており、当該上側リール３２の下方、すなわちドラム３１の下側における後方寄りの箇所に、ドラム３１と平行な回転軸を中心に回転し得るように設けられている。この下側リール３５には、上側テープ３３と同様に構成された第２テープとしての下側テープ３６が巻き付けられている。
【００４３】
また下側リール３５の前方には、ドラム３１の回転軸と平行な回転軸３７Ｘを中心に回転する下側ローラ３７（図５）が設けられている。
【００４４】
下側リール３５から引き出された下側テープ３６は、前方向へ渡された後、下側ローラ３７を介して引き回されることにより上方向へ向かう。さらに下側テープ３６は、後述する可動部４０に設けられた所定のローラを介して後方向へ向かうと共にドラム３１に押し当てられ、その先端部が当該ドラム３１に固定されている。
【００４５】
因みに一時保留部５は、下側リール３５についても、上側リール３２の場合と同様にドラム３１よりも後方寄りの位置に設けたことにより、現金自動預払機１内の他の機構等との干渉を避けると共に下側テープ３６に所定の張力を加えるようになされている。
【００４６】
ここで下側テープ３６は、その先端がドラム３１の周側面における左右方向のほぼ中央に固定されている。また上側テープ３３は、その先端がドラム３１の外周面において当該下側テープ３６の外周側に重なるように固定されている。
【００４７】
すなわち一時保留部５は、ドラム３１を巻込方向Ｒ１へ回転させると、その周側面に下側テープ３６及び上側テープ３３を重ねるようにして巻き付けていく。このとき一時保留部５は、下側テープ３６及び上側テープ３３の間に紙幣ＢＬを挟んでいれば、当該下側テープ３６及び上側テープ３３と共に当該紙幣ＢＬをドラム３１の周側面に巻き付けることができる。因みにこのとき紙幣ＢＬは、長辺方向の中央部分のみが上側テープ３３によりドラム３１の周側面に押し付けられた状態となる。
【００４８】
一方、可動部４０は、上側の可動ガイド４１と下側の対向部４２とが連結部４３を介して一体に連結された構成となっており、可動ガイド４１と対向部４２との隙間及び当該可動ガイド４１の下側面に渡って搬送路４４を形成している。
【００４９】
可動ガイド４１は、全体として前後部分が下方向へ垂れ下がるよう湾曲した板状に構成されており、後述するように複数の部材の組み合わせにより構成されている。
【００５０】
搬送路４４では、所定のローラの作用により、上側に上側テープ３３が露出するように走行すると共に、下側に下側テープ３６が露出するように走行する。
【００５１】
これにより可動部４０は、一時保留部筐体３０の紙幣入出孔３０Ｃを介して挿入された紙幣ＢＬを搬送路４４に沿って搬送し、上側テープ３３及び下側テープ３６により当該紙幣ＢＬを上下から挟んだ状態で、ドラム３１の周側面近傍まで到達させるようになされている。
【００５２】
また可動部４０は、一時保留部筐体３０（図３）に対し、ドラム３１の上方から内部空間３０Ａを覆うような位置、すなわち開放部３０Ｂを閉塞するような位置に、可動軸４５を介して取り付けられている。
【００５３】
可動軸４５は、左右方向に沿った回動軸、すなわちドラム３１の回転軸３１Ｘと平行な回動軸を中心に可動部４０全体を回動させ得るようになされている。このため可動部４０は、一時保留部筐体３０に対し、可動軸４５を中心に開方向Ｗ１又は閉方向Ｗ２へ自在に開閉回動動作することができる。因みに可動部４０は、開方向Ｗ１への回動範囲を規制することにより可動ガイド４１と上側テープ３３との接触を防止するようになされている。
【００５４】
可動部４０は、実際には重力により閉方向Ｗ２へ向かう力が作用し、可動ガイド４１の下側における当接部４１Ｔをドラム３１の周側面に当接させる。このため可動ガイド４１は、ドラム３１が回転する際に、長辺方向に折れ曲がる恐れを有しながらも中央部分のみが上側テープ３３及び下側テープ３６により挟持された紙幣ＢＬを、長辺方向に伸ばしながら当該ドラム３１の周側面に押し付けるようガイドすることができる。
【００５５】
ここでドラム３１は、多数の紙幣ＢＬが順次巻き付けられるに連れて、見かけ上の外径が増加していく。これに応じて可動部４０は、可動ガイド４１がドラム３１により上方向へ徐々に持ち上げられることになり、可動軸４５を中心に開方向Ｗ１へ回動することになる。
【００５６】
この結果、可動部４０は、可動ガイド４１における下側の当接部４１Ｔを常にドラム３１に当接させることができ、紙幣ＢＬの搬送方向及び搬送先を当該ドラム３１の外周面に追従させることができる。
【００５７】
因みに一時保留部５では、ドラム３１の外径、ドラム３１と一時保留部筐体３０との隙間、上側テープ３３及び下側テープ３６の長さ等がそれぞれ最適化されており、当該ドラム３１に約２００枚の紙幣ＢＬを順次巻き付けることができる。また可動部４０は、ドラム３１の外径の変化に応じて、可動ガイド４１における当接部４１Ｔの範囲内で当該ドラム３１と当接するようになされている。
【００５８】
ところで可動ガイド４１は、図６に平面図（すなわち上側から見た図）を示すように、前側の部分でなる基板５１と、後ろ側の部分のうち上側テープ３３の真下の部分でなる中央部５２と、その右側及び左側でなる開閉板５３及び５４とに分割されている。
【００５９】
基板５１は、図４及び図５に示したように、全体として板状に構成されると共に、前側が下方へ湾曲している。このため基板５１は、その下面に沿って紙幣ＢＬを前方から後方へ曲面を描くように搬送する。また基板５１の中央近傍には、上側テープ３３を上面側から下面側へ貫通させるための貫通孔が設けられている。
【００６０】
中央部５２、開閉板５３及び５４は、いずれも前後方向に湾曲した薄板状に構成されており、前後方向に関し、可動ガイド４１の約１／３の長さとなっている。
【００６１】
中央部５２は、基板５１の後ろ側に固定されており、上方から見たときに当該基板５１と一体に「Ｔ」字（図６）を描いている。
【００６２】
開閉板５３及び５４は、左右方向に沿った回動軸５５及び５６を介して基板５１に取り付けられている。回動軸５５及び５６は、基板５１に対し開閉板５３及び５４を角度θ（図５）の範囲で開方向Ｖ１又は閉方向Ｖ２へ回動させるようになされている。因みに角度θは、例えば９０［°］以上の大きな角度となっている。
【００６３】
さらに回動軸５５及び５６は、内部にばね（図示せず）が組み込まれており、開閉板５３及び５４を閉方向Ｖ２へ付勢するようになされている。
【００６４】
このため開閉板５３及び５４は、外力が加わらない場合、図５に実線で示したように、内部空間３０Ａの上方を閉塞した状態（以下これを閉塞状態と呼ぶ）に保持し、ドラム３１を覆う。
【００６５】
一方、開閉板５３及び５４は、保守作業を行う作業者により開方向Ｖ１へ外力が加えられる等した場合、図５に破線で示したように当該開方向Ｖ１へ回動し、内部空間３０Ａの上方を一部開放した状態（以下これを開放状態と呼ぶ）となる。これにより作業者は、外部から内部空間３０Ａ内へアクセスすること、すなわち見やすい状態で視認すると共に指先や工具等を容易に挿入して所定の作業を行うことができる。
【００６６】
また開閉板５３及び５４は、可動ガイド４１においてドラム３１との当接部４１Ｔにかからないような位置に、すなわち当接部４１Ｔよりも後ろ側に設けられている。
【００６７】
このため、ドラム３１との当接により可動ガイド４１に加えられる上方向（すなわち開方向Ｗ１）への外力は、開閉板５３及び５４には加えられず、基板５１のみに加えられるようになされている。
【００６８】
このように可動ガイド４１は、基板５１の後ろ側に回動軸５５及び５６を介して接続された開閉板５３及び５４を、上側テープ３３と干渉させることなく開放し、又は閉塞することができる。
【００６９】
［３．動作及び効果］
以上の構成において、現金自動預払機１の一時保留部５は、顧客との間で現金に関する取引を行う取引動作時には、開閉板５３及び５４を閉塞状態とした可動ガイド４１をドラム３１の外周面に当接させる。
【００７０】
可動ガイド４１は、一時保留部５に紙幣ＢＬを一時的に保留すべくドラム３１に紙幣ＢＬを巻き付ける際、基板５１、中央部５２、開閉板５３及び５４を一体として、当該紙幣ＢＬをドラム３１の周側面に沿った形状（すなわち曲面状）に合わせながら押し付ける。
【００７１】
このため一時保留部５は、紙幣ＢＬが折り癖等により長辺方向に容易に折れ曲がるようになっていたとしても、可動ガイド４１により当該紙幣ＢＬを長辺方向に伸ばすよう押し付けながら、ドラム３１に巻き付けることができる。
【００７２】
一方、一時保留部５は、作業者等が保守を行う保守作業時には、当該作業者により開閉板５３及び５４を開方向Ｖ１（図５）へ持ち上げるよう回動させて開放状態とする。これにより一時保留部５は、開放部３０Ｂを塞ぐ可動ガイド４１のうち開閉板５３及び５４が開いている部分を通じて、外部から内部空間３０Ａを見やすい状態で直接目視することができると共に、指先や工具等を容易に挿入させることもできる。
【００７３】
この結果、一時保留部５は、一時保留部筐体３０の内壁面Ｋ１（図５）とドラム３１との隙間に紙幣ＢＬの破片（半券）等が蓄積されている場合に、作業者の指先や工具等により容易に取り出させることができるので、保守作業時における作業性を従来よりも格段に高めることができ、保守作業を効率良く短時間で完了させることができる。
【００７４】
また一時保留部５は、ドラム３１の外径の変化に追従するべく可動ガイド４１を回動させるための可動軸４５により当該可動ガイド４１全体を開閉するのではなく、当該可動ガイド４１よりも前後方向に短い開閉板５３及び５４を開閉させるようにした。
【００７５】
これにより一時保留部５は、開閉板５３及び５４の開閉に必要な空間を必要最小限に抑えることができるので、開閉時における周囲の各部品との干渉を回避して容易且つ確実に開放又は閉塞することができる。
【００７６】
特に開閉板５３及び５４は、可動ガイド４１のうち上側テープ３３の真下に位置する中央部５２を避けるよう設けられている。これにより開閉板５３及び５４は、解放時に先端側（回動軸５５及び５６と反対側）を上側テープ３３に干渉させることなく、当該上側テープ３３よりも高く持ち上げるような角度θ（図５）まで開くことができる。
【００７７】
この結果、一時保留部５は、薄い樹脂材料でなる上側テープ３３を可動ガイド４１との接触による切断から保護しながら、外部と内部空間３０Ａとの通路を十分に広げることができる。
【００７８】
また一時保留部５は、可動ガイド４１のうちドラム３１との当接部４１Ｔよりも後ろ側に開閉板５３及び５４を設けたことにより、当該ドラム３１から受ける上方向への反力を基板５１により受けるため、この反力を当該開閉板５３及び５４に直接伝えて不用意に開放させることがない。
【００７９】
さらに開閉板５３及び５４は、回動軸５５及び５６に内蔵されたばねにより閉塞状態を維持することができる。また開閉板５３及び５４は、取引動作中にドラム３１に巻き付けられた紙幣ＢＬが皺や折り曲げ等により当該ドラム３１の外径を膨ませて当接した場合等、一時的に外力が加わって開放されたとしても、ばねの復元力の作用により再び閉塞状態に戻ることができる。
【００８０】
これにより一時保留部５は、紙幣ＢＬをドラム３１の外周面に確実に押し付けることができると共に、内部空間３０Ａに蓄積されている半券を現金自動預払機１内に散乱させてしまう恐れもない。
【００８１】
また一時保留部５では、一時保留部筐体３０の隔壁ではなく、可動ガイド４１に開閉板５３及び５４を設けた。これにより一時保留部５は、隔壁内の各種ギア機構や強度の維持に必要な支柱等の構造物との干渉を問題とすることなく、十分に大きい開口面積を確保することができる。
【００８２】
以上の構成によれば、現金自動預払機１の一時保留部５は、可動ガイド４１における基板５１の後ろ側に回動軸５５及び５６を介して開閉板５３及び５４を接続した。これにより現金自動預払機１は、取引動作時には開閉板５３及び５４を閉塞することにより可動ガイド４１全体により紙幣ＢＬをドラム３１の外周面に押し付けることができる一方、保守作業時には開閉板５３及び５４を開放することにより外部から内部空間３０Ａを直接目視できると共に容易にアクセスすることができる。かくして現金自動預払機１は、保守作業時における作業性を従来よりも格段に高めることができる。
【００８３】
［４．他の実施の形態］
なお上述した実施の形態においては、可動ガイド４１において開閉板５３及び５４の前側、すなわち基板５１との間に回動軸５５及び５６を設けるようにした場合について述べた。
【００８４】
しかしながら本発明はこれに限らず、例えば図７に示すように開閉板５３及び５４の後ろ側に回動軸５５及び５６を設けるようにしても良く、或いは図８及び図９に示すように開閉板５３及び５４と中央部５２との間に前後方向に沿った回動軸５５及び５６を設けるようにしても良い。さらにこの場合、開閉板５３及び５４のそれぞれにおいて回動軸５５及び５６を設ける箇所を互いに相違させても良い。
【００８５】
また上述した実施の形態においては、可動ガイド４１において回動軸５５及び５６を中心に開閉板５３及び５４を回動させることにより、閉塞状態から開放状態とするようにした場合について述べた。
【００８６】
しかしながら本発明はこれに限らず、例えば周知のスライド機構や回転機構を用いて開閉板５３及び５４を基板５１に重ねるようほぼ水平に移動又は回転させることにより、閉塞状態から開放状態とするようにしても良い。
【００８７】
さらに上述した実施の形態においては、前後方向に関し、開閉板５３及び５４の長さを可動ガイド４１の長さの約１／３とするようにした場合について述べた。
【００８８】
本発明はこれに限らず、前後方向に関する開閉板５３及び５４の長さを、可動ガイド４１の長さの約１／２や１／４等のように任意の長さとしても良い。また前後方向に限らず、左右方向等の他の方向に関しても、開閉板５３及び５４の長さを可動ガイド４１よりも短くするようにしても良い。これにより、開口部の面積は狭くなるものの、開閉板５３及び５４と他の部品等とが干渉する危険性を低減できると共に、当該開閉板５３及び５４の開閉の操作を容易化することができる。
【００８９】
さらに上述した実施の形態においては、可動ガイド４１において回動軸５５及び５６にばねを内蔵することにより、開閉板５３及び５４を閉方向Ｖ２（図５）へ付勢させ、外力が加わらないときには閉塞状態を維持するようにした場合について述べた。
【００９０】
しかしながら本発明はこれに限らず、例えば中央部５２の側面に微小な突起を設け、開閉板５３及び５４を当該突起と係合させることにより閉塞状態を維持するようにしても良い。さらには、重力の作用のみにより開閉板５３及び５４の閉塞状態を維持するようにしても良い。
【００９１】
さらに上述した実施の形態においては、可動ガイド４１において開閉板５３及び５４の双方を開閉可能とするようにした場合について述べた。
【００９２】
しかしながら本発明はこれに限らず、開閉板５３及び５４のいずれか一方のみを開閉可能とし、他方を基板５１と一体化することにより開閉しないようにしても良い。
【００９３】
さらに上述した実施の形態においては、可動ガイド４１において当接部４１Ｔよりも後方に回動軸５５及び５６を設けるようにした場合について述べた。
【００９４】
しかしながら本発明はこれに限らず、当接部４１Ｔよりも前方に回動軸５５及び５６を設けるようにしも良い。この場合、回動軸５５及び５６に内蔵されているばねの付勢力を強めるなどして、開閉板５３及び５４がドラム３１から受ける力により不用意に開放されないようにすれば良い。
【００９５】
さらに上述した実施の形態においては、可動ガイド４１において開閉板５３及び５４が閉塞状態となるときに、図５に実線で示したように、基板５１に対する開閉板５３及び５４の回動角度を固定するようにした場合について述べた。
【００９６】
しかしながら本発明はこれに限らず、例えば基板５１と中央部５２との間に左右方向に沿った回動軸を設け、基板５１に対し中央部５２を回動できるようにした上で、紙幣ＢＬを巻き付けたドラム３１の外径の変化に応じて当該中央部５２の先端側（後ろ側）を当該ドラム３１の外周に追従して回動させるようにし、当該中央部５２と連動して開閉板５３及び５４の回動角度も変化させるようにしても良い。
【００９７】
さらに上述した実施の形態においては、一時保留部筐体３０の上側に開放部３０Ｂを設けると共に可動部４０をドラム３１よりも上側に配置し、重力の作用により可動部４０の可動ガイド４１をドラム３１の外周面に押し付けるようにした場合について述べた。
【００９８】
しかしながら本発明はこれに限らず、一時保留部筐体３０の前側、後ろ側や下側に開放部３０Ｂを設け、当該開放部３０Ｂを覆うように可動部４０をドラム３１の前側、後ろ側や下側に配置し、ばね等の付勢手段の作用により可動部４０の可動ガイド４１をドラム３１の外周面に押し付けるようにしても良い。
【００９９】
さらに上述した実施の形態においては、一時保留部５に上側テープ３３及び下側テープ３６を一組のみ設け、解放時に当該上側テープ３３と干渉しない箇所に開閉板５３及び５４を設けるようにした場合について述べた。
【０１００】
しかしながら本発明はこれに限らず、一時保留部５に上側テープ３３及び下側テープ３６を二組以上設け、解放時にいずれの上側テープ３３とも干渉しない箇所に開閉板５３及び５４を設けるようにしても良い。またこの場合、３箇所以上に開閉部を設けるようにしても良い。
【０１０１】
さらに上述した実施の形態においては、本発明を現金自動預払機１の一時保留部５に適用するようにした場合について述べた。
【０１０２】
しかしながら本発明はこれに限らず、例えば紙幣の鑑別や計数のみを行う装置等、紙幣ＢＬを上側テープ３３及び下側テープ３６の間に挟みドラム３１に巻き付けて一時的に保留する種々の装置に適用するようにしても良い。
【０１０３】
さらに上述した実施の形態においては、一時保留部５により上側テープ３３及び下側テープ３６の間に紙幣ＢＬを挟持した状態で、当該紙幣ＢＬをドラム３１の外周面に巻き付けるようにした場合について述べた。
【０１０４】
本発明はこれに限らず、例えば一時保留部５から下側テープ３６及びこれに関連する機構を省略し、上側テープ３３の紙幣ＢＬと当接する面に粘着性を持たせ、この粘着性により紙幣ＢＬを上側テープ３３に貼り付けて仮止めした状態で、上側テープ３３を紙幣ＢＬの外周側に重ねるようにしてドラム３１の外周面に巻き付けるようにしても良い。
【０１０５】
さらに上述した実施の形態においては、現金を取引する現金自動預払機１の一時保留部５において、媒体としての紙幣ＢＬを上側テープ３３及び下側テープ３６の間に挟みドラム３１に巻き付けて保留するようにした場合について述べた。
【０１０６】
しかしながら本発明はこれに限らず、例えば商品券や金券、入場券等のような薄い紙状の媒体をドラム３１に保留する種々の装置に適用するようにしても良い。この場合、媒体の大きさや形状に応じて上側テープ３３及び下側テープ３６のテープ幅や数等を適宜定めれば良い。
【０１０７】
さらに上述した実施の形態においては、筐体としての一時保留部筐体３０と、リールとしての上側リール３２と、折り返し部としての上側案内ローラ３４と、ドラムとしてのドラム３１と、巻付ガイドとしての可動ガイド４１と、開閉部としての開閉板５３及び５４とによって媒体処理装置としての一時保留部５を構成する場合について述べた。
【０１０８】
しかしながら本発明はこれに限らず、その他種々の構成でなる筐体と、リールと、折り返し部と、ドラムと、巻付ガイドと、開閉部とによって媒体処理装置を構成するようにしても良い。
【産業上の利用可能性】
【０１０９】
本発明は、投入された紙幣等の紙状の媒体を２本のテープの間に挟持しドラムに巻き付けて一時的に保留する種々の装置でも利用できる。
【符号の説明】
【０１１０】
１……現金自動預払機、２……筐体、３……接客部、５……一時保留部、１２……紙幣入出金口、３０……一時保留部筐体、３０Ａ……内部空間、３０Ｂ……開放部、３０Ｃ……紙幣入出孔、３１……ドラム、３２……上側リール、３３……上側テープ、３４……上側案内ローラ、３５……下側リール、３６……下側テープ、４０……可動部、４１……可動ガイド、４１Ｔ……当接部、４５……可動軸、５１……基板、５２……中央部、５３、５４……開閉板、５５、５６……回動軸、ＢＬ……紙幣。
【図１】
0005724652.tif 000002
【図２】
0005724652.tif 000003
【図３】
0005724652.tif 000004
【図４】
0005724652.tif 000005
【図５】
0005724652.tif 000006
【図６】
0005724652.tif 000007
【図７】
0005724652.tif 000008
【図８】
0005724652.tif 000009
【図９】
0005724652.tif 000010
【図１０】
0005724652.tif 000011